(57)【要約】      （修正有）【課題】被包装物を保護するとともに、意匠性及び自立性に優れた包装材を提供する。【解決手段】合成樹脂発泡体を主体とするシート状物からなり、被包装物Ｍの底部が載置される円形の中央座部と、前記中央座部を上方に持ち上げかつ該中央座部の下降とともに内方へ反転するように当該中央座部から下部外方へ傾斜をもって延接された反転傾斜部３０と、前記反転傾斜部３０より外方へ放射状に形成された複数の包着片４０とからなる包装材１０であって、前記中央座部は、前記反転傾斜部３０が前記中央座部の肩部を介して反転することにより下方へ膨出する台座部５０として形成され、前記包着片４０の先端には、前記シート状物の裏面方向へ折り返されかつ前記反転傾斜部３０の反転時に外方向へ折り返されたカール状爪部４５が形成されている。【選択図】図１
0003202071.tif 000002
【実用新案登録請求の範囲】
【請求項１】
合成樹脂発泡体を主体とするシート状物からなり、被包装物の底部が載置される円形の中央座部と、前記中央座部を上方に持ち上げかつ該中央座部の下降とともに内方へ反転するように当該中央座部から下部外方へ傾斜をもって延接された反転傾斜部と、前記反転傾斜部より外方へ放射状に形成された複数の包着片とからなる包装材であって、
前記中央座部は、前記反転傾斜部が前記中央座部の肩部を介して反転することにより下方へ膨出する台座部として形成され、
前記包着片の先端には、前記シート状物の裏面方向へ折り返されかつ前記反転傾斜部の反転時に外方向へ折り返されたカール状爪部が形成されている
ことを特徴とする包装材。
【請求項２】
前記反転傾斜部の外面側に複数のリブが放射状に形成されている請求項１に記載の包装材。
【請求項３】
前記中央座部の前記肩部上方に環状段差部を介して座面部が形成されており、前記リブが前記中央座部の前記肩部下方から前記包着片に亘って形成されていて、前記反転傾斜部の反転後、前記被包装物の載置により前記座面部に対して前記環状段差部が下降して前記台座部に環状脚部が形成される請求項２に記載の包装材。
【考案の詳細な説明】
【技術分野】
【０００１】
本考案は、合成樹脂発泡体を主体とするシート状物からなる包装材に関する。
【背景技術】
【０００２】
例えば、桃やリンゴ等の果物や、トマト等の野菜等の物品は、外部からの衝撃等によって表面が傷付きやすい。表面の損傷等は、果物や野菜等の鮮度に悪影響を及ぼし、商品価値を低下させる。そこで、上記の傷付きやすい物品（被包装物）の表面を保護するために、物品表面を個別的に軟らかく包み込むことができる包装材が用いられる（例えば、特許文献１参照。）。
【０００３】
この包装材は、合成樹脂発泡体を主体とするシート状物よりなり、被包装物の底部が載置される中央座部と、前記中央座部を上方に持ち上げかつ該中央座部の下降とともに内方へ反転するように、当該中央座部から下部外方へ傾斜をもって延設された反転傾斜部と、前記反転傾斜部より外方へ放射状に形成された包着片とからなる。
【０００４】
上記従来の包装材では、被包装物を中央座部に配置してその底部を押し付け反転傾斜部を反転させるだけで被包装物を包装することができる。特に、桃やリンゴ、メロン、トマト等の略球形状の青果物の包装に適している。また、保管及び輸送時には、シート状のままで積み重ねが可能であるため、収納や保管の際に省スペース化を図ることができて有利である。
【先行技術文献】
【特許文献】
【０００５】
【特許文献１】特許第２７３９６７５号公報
【考案の概要】
【考案が解決しようとする課題】
【０００６】
包装材によって包装された青果物等の被包装物は、その状態のまま店頭に陳列される。このようにして陳列された商品を消費者が購入しようとする場合、見た目の良し悪しが購買意欲に影響を及ぼすことがある。そこで、青果物等の被包装物を保護しながら、消費者に対して好印象を与えて購買意欲に悪影響を及ぼすことがない意匠性に優れた包装材が求められている。
【０００７】
また、陳列された商品は、消費者が手に取った後、再度陳列棚へ戻されることがある。その際、被包装物が略球形状であることから転倒することがあり、場合によっては陳列棚から転落するおそれがある。そこで、青果物等の被包装物を陳列棚等へ載置する際に、安定して自立させやすい包装材が求められている。
【０００８】
本考案は、前記の点に鑑みなされたものであって、被包装物を保護するとともに、意匠性及び自立性に優れた包装材を提供するものである。
【課題を解決するための手段】
【０００９】
すなわち、請求項１の考案は、合成樹脂発泡体を主体とするシート状物からなり、被包装物の底部が載置される円形の中央座部と、前記中央座部を上方に持ち上げかつ該中央座部の下降とともに内方へ反転するように当該中央座部から下部外方へ傾斜をもって延接された反転傾斜部と、前記反転傾斜部より外方へ放射状に形成された複数の包着片とからなる包装材であって、前記中央座部は、前記反転傾斜部が前記中央座部の肩部を介して反転することにより下方へ膨出する台座部として形成され、前記包着片の先端には、前記シート状物の裏面方向へ折り返されかつ前記反転傾斜部の反転時に外方向へ折り返されたカール状爪部が形成されていることを特徴とする包装材に係る。
【００１０】
請求項２の考案は、前記反転傾斜部の外面側に複数のリブが放射状に形成されている請求項１に記載の包装材に係る。
【００１１】
請求項３の考案は、前記中央座部の前記肩部上方に環状段差部を介して座面部が形成されており、前記リブが前記中央座部の前記肩部下方から前記包着片に亘って形成されていて、前記反転傾斜部の反転後、前記被包装物の載置により前記座面部に対して前記環状段差部が下降して前記台座部に環状脚部が形成される請求項２に記載の包装材に係る。
【考案の効果】
【００１２】
請求項１の考案に係る包装材によると、合成樹脂発泡体を主体とするシート状物からなり、被包装物の底部が載置される円形の中央座部と、前記中央座部を上方に持ち上げかつ該中央座部の下降とともに内方へ反転するように当該中央座部から下部外方へ傾斜をもって延接された反転傾斜部と、前記反転傾斜部より外方へ放射状に形成された複数の包着片とからなる包装材であって、前記中央座部は、前記反転傾斜部が前記中央座部の肩部を介して反転することにより下方へ膨出する台座部として形成され、前記包着片の先端には、前記シート状物の裏面方向へ折り返されかつ前記反転傾斜部の反転時に外方向へ折り返されたカール状爪部が形成されているため、被包装物を効果的に保護しかつ保温（保冷）することができるとともに、優れた外観性や意匠性及び自立性を容易に付与することができる。
【００１３】
請求項２の考案に係る包装材によると、請求項１の考案において、前記反転傾斜部の外面側に複数のリブが放射状に形成されているため、反転傾斜部に腰強さを付与して内側方向への反転を確実かつ効果的に行わせるとともに、包装時の被包装物の下部近傍における緩衝性及び保温（保冷）性を高めることができる。
【００１４】
請求項３の考案に係る包装材によると、請求項２の考案において、前記中央座部の前記肩部上方に環状段差部を介して座面部が形成されており、前記リブが前記中央座部の前記肩部下方から前記包着片に亘って形成されていて、前記反転傾斜部の反転後、前記被包装物の載置により前記座面部に対して前記環状段差部が下降して前記台座部に環状脚部が形成されるため、台座部を適切に膨出させることができるとともに、台座部による自立安定性をより向上させることができる。
【図面の簡単な説明】
【００１５】
【図１】本考案の包装材の使用状態を表す正面図である。
【図２】本考案の包装材の展開時の断面図である。
【図３】図２の包装材の上面図である。
【図４】図１の縦断面図である。
【図５】図１の上面図である。
【図６】図１の底面図である。
【図７】台座部の形成過程を表す概念図である。
【考案を実施するための形態】
【００１６】
図１〜図３に示す本発明の一実施形態に係る包装材１０は、シート状物１１からなり、中央座部２０と、反転傾斜部３０と、包着片４０とを備える。この包装材１０は、桃、リンゴ、梨等の果物やトマト等の野菜等、略球形状の青果物等の比較的傷付きやすい被包装物Ｍの包装に好適である。
【００１７】
シート状物１１は、被包装物Ｍを包み込むことが可能な柔軟性を有するとともに、その表面への損傷等を抑制する保護性及び緩衝性を有する材料によって形成される。このシート状物１１にあっては、柔軟性、保護性、緩衝性に加え、優れた保温（保冷）性を得るために、ポリエチレン、ポリプロピレン、ポリスチレン、ポリウレタン等の公知の合成樹脂発泡体を主体とする材料が好適に用いられる。
【００１８】
この包装材１０は、成形性や経済性の観点から、公知の真空プレス成形によって製造される。真空プレス成形では、包装材１０の所定形状に対応した型面を有する上下の金型に真空ポンプ等の吸引装置が接続され、予熱されたシート状物を金型に配置して真空吸引が行われる。これにより、シート状物が上下の金型の型面に密着されて、所定形状が付与される。このように、真空プレス成形を行うことにより、シート状物に対して細かな形状を容易に賦形することができる。
【００１９】
中央座部２０は、包装材１０の展開時において被包装物Ｍの底部が載置される部分であり、図２，３に示すように、包装材１０の略中央部分に設けられる。中央座部２０は、後述の反転傾斜部３０との連接部分に側面視円弧状の肩部２１を有し、肩部２１上方に環状段差部２２を介して座面部２５が形成されている。座面部２５の形状は、略球形状の青果物等を被包装物Ｍとして包着することから、被包装物Ｍの形状に対応して略円形状とされる。
【００２０】
反転傾斜部３０は、図２〜図４に示すように、中央座部２０を上方に持ち上げかつ該中央座部２０の下降とともに内方へ反転するように、当該中央座部２０から肩部２１を介して下部外方へ傾斜をもって延接されている。反転傾斜部３０は、反転（裏返り）により、内側に湾曲した状態で被包装物Ｍの外周に包着されて、被包装物Ｍの外周を保護する。
【００２１】
この反転傾斜部３０では、図１〜図４に示すように、外面側に複数のリブ３５が放射状に形成されている。実施形態において、リブ３５は、反転傾斜部３０のシート状部を外方へ突出させた突条部である。また、図３に示すように、複数のリブ３５は、２本のリブが略同一方向へ延設され、この２本を１組として放射状に形成されている。反転傾斜部３０に複数のリブ３５が形成されていることにより、反転傾斜部３０には腰強さが付与され、内側方向への反転が確実かつ効果的に行われる。さらに、反転傾斜部３０のシート状部が外方へ突出していることにより、被包装物Ｍへの包着時にリブ３５の内面側と被包装物Ｍとの間に空間が形成される。このため、包着時の緩衝性及び保温（保冷）性を高めることができる。なお、この実施形態において、リブ３５は、中央座部２０の肩部２１下方から後述の包着片４０に亘って形成されている。
【００２２】
包着片４０は、図２，３に示すように、反転傾斜部３０より外方へ複数枚を放射状に一体にした形状に形成される。この包着片４０は、反転傾斜部３０の反転に伴って被包装物Ｍの周囲に被着され、反転傾斜部３０とともに被包装物Ｍを保護するものである。包着片４０は、被包装物Ｍの形状や大きさ等に応じて適宜の数、幅、長さ、形状に形成され、例えば８〜１２枚程度である。図示の例では、包着片４０が放射状に１２枚形成されている。
【００２３】
包着片４０の先端には、図１，２，４に示すように、カール状爪部４５が形成されている。カール状爪部４５は、シート状物の裏面方向へ折り返されかつ反転傾斜部３０の反転時に外方向へ折り返される。また、カール状爪部４５は、図１，５に示すように、包装材１０の反転時に、被包装物Ｍの全周に亘って円周状に連なるように配置される。そのため、反転傾斜部３０からカール状爪部４５を含む包着片４０に至る被包装物Ｍに被着される部位がチューリップ等の花弁を模した形状となり、外観性や意匠性が向上する。
【００２４】
本考案の包装材１０にあっては、図１，４に示すように、反転傾斜部３０が中央座部２０の肩部２１を介して反転することにより、中央座部２０が下方へ膨出する台座部５０として形成される。台座部５０は、被包装物Ｍの包着時に、当該包装材１０を自立可能とするための部位である。この台座部５０では、図４，６に示すように、下部外縁部分に環状脚部５５が形成される。
【００２５】
ここで、反転傾斜部３０の反転による台座部５０の形成過程を説明する。図７（ａ）に示すように、中央座部２０に載置された被包装物Ｍが座面部２５に押し当てられ、下方へ押し込まれることにより、中央座部２０が下方へ押し出される。被包装物Ｍにより、さらに中央座部２０が押し込まれると、図７（ｂ）に示すように、肩部２１を介して反転傾斜部３０が反転され、中央座部２０が肩部２１を介して下方へ膨出されて台座部５０が形成される。その際、図２，３に示すように、リブ３５が肩部２１の下方まで形成されている。すなわち、肩部２１にリブ３５が形成されていないことから、肩部２１を介した反転は円滑に行われ、中央座部２０（台座部５０）は適切に膨出される。
【００２６】
図７（ｂ）に示す台座部５０は、座面部２５が床部Ｆに接地された台座状膨出部５０Ａとなっている。台座状膨出部５０Ａでは、環状段差部２２が下部外縁部分を構成し、図示のように床部Ｆから上方へ浮いた状態となっている。一方、座面部２５は、環状段差部２２より下方へ凸状に湾曲して突出された状態である。また、反転傾斜部３０の反転後においては、図５及び図７（ｂ）に示すように、肩部２１の反転部分に相当する環状載置部２６上に被包装物Ｍの底部が載置される。環状載置部２６は、中央座部２０の形状に対応した形状、すなわち被包装物Ｍの球形状に対応して環状（円形状）に形成されるため、包着時に被包装物Ｍを安定して載置させることができる。
【００２７】
上のように、反転傾斜部３０の反転後、図７（ｃ）に示すように、環状載置部２６上に被包装物Ｍが載置されていることにより、被包装物Ｍの荷重が環状載置部２６に加えられて、座面部２５に対して環状段差部２２が下降される。この時、座面部２５は、下方への凸状から湾曲が反転されて凹状（上方への凸状）に変形される。これにより、台座部５０（台座状膨出部５０Ａ）の下部外縁部分に相当する環状段差部２２は床部Ｆに接地されて環状脚部５５として形成される。このように、環状脚部５５により台座部５０の下部外縁部分が環状に接地されるため、台座部５０の自立安定性が向上する。
【００２８】
以上図示し説明したように、本考案の包装材１０では、合成樹脂発泡体を主体とするシート状物からなり、反転傾斜部３０の反転により該反転傾斜部３０及び複数の包着片４０を被包装物Ｍの外周に被着させるため、被包装物Ｍを効果的に保護しかつ保温（保冷）することができる。
【００２９】
また、反転傾斜部３０が中央座部２０の肩部２１を介して反転することにより、中央座部２０が下方へ膨出する台座部５０として形成されるため、包装材１０に自立性を容易に付与することができる。さらに、包着片４０の先端にカール状爪部４５が形成されていることにより、包着時に被包装物Ｍの全周に亘ってその外方向へ折り返されたカール状爪部４５が円周状に連なって配置される。そのため、当該包装材１０の全体形状を花弁を模した形状とすることができ、優れた外観性や意匠性を付与することができる。
【００３０】
なお、本考案の包装材は、前述の実施形態のみに限定されるものではなく、考案の趣旨を逸脱しない範囲において構成の一部を適宜に変更して実施することができる。
【産業上の利用可能性】
【００３１】
以上の通り、本考案の包装材では、傷付きやすい青果物等の被包装物を良好に保護することができるとともに、自立して載置させることができる。そのため、陳列棚等へ容易に載置させることができ、商品の転倒や転落等の発生を低減させることができる。また、意匠性にも優れるため、消費者に対して好印象を与えることができ、購買意欲を促進させることも期待される。
【符号の説明】
【００３２】
１０    包装材
２０    中央座部
２１    肩部
２２    環状段差部
２５    座面部
３０    反転傾斜部
３５    リブ
４０    包着片
４５    カール状爪部
５０    台座部
５５    環状脚部
Ｍ      被包装物
【図１】
0003202071.tif 000003
【図２】
0003202071.tif 000004
【図３】
0003202071.tif 000005
【図４】
0003202071.tif 000006
【図５】
0003202071.tif 000007
【図６】
0003202071.tif 000008
【図７】
0003202071.tif 000009